(57)【特許請求の範囲】
【請求項１】
前室（３）に続いて流体燃料による主バーナ（８）を有する主燃焼室（７）を備え、主燃焼室（７）から煙道（９）を介して流体燃料による副バーナ（１１）を有する再燃焼室（１０）を設けている火葬台車式火葬炉において、前室（３）に火葬台車（１２）の荷重を検知する前ロードセル（１５）で担持した前支持体（１３）を設け、上記前ロードセル（１５）の検出信号に応じて副バーナ（１１）を先行して自動的に起動すると共に主バーナ（８）の燃料供給量と稼働時間を規制する火葬パターン制御手段（２２）を備え、
温度センサー（２１）とタイマー（２４）とによって、再燃焼室（１０）内が未燃焼ガスの燃焼に適するまで加熱された状況を検知する環境検出手段（２３）を設け、該環境検出手段（２３）の出力と火葬パターン制御手段（２２）の出力とで主バーナ（８）を起動することを特徴とする火葬炉。
【請求項２】
前室（３）に続いて流体燃料による主バーナ（８）を有する主燃焼室（７）を備え、主燃焼室（７）から煙道（９）を介して流体燃料による副バーナ（１１）を有する再燃焼室（１０）を設けている火葬台車式火葬炉において、前室（３）に火葬台車（１２）の荷重を検知する前ロードセル（１５）で担持した前支持体（１３）を設けると共に、主燃焼室（７）に火葬経過に伴う火葬台車（１２）の荷重を検知する主ロードセル（２５）で担持した主支持体（１４）を設け、上記前ロードセル（１５）の検出信号に応じて副バーナ（１１）を先行して自動的に起動すると共に主バーナ（８）の燃料供給量と稼働時間を規制する火葬パターン制御手段（２２）と、該火葬パターン制御手段（２２）に前記主ロードセル（２５）の検出信号で火葬状況を修正する修正手段（２６）とを設け、
温度センサー（２１）とタイマー（２４）とによって、再燃焼室（１０）内が未燃焼ガスの燃焼に適するまで加熱された状況を検知する環境検出手段（２３）を設け、該環境検出手段（２３）の出力と火葬パターン制御手段（２２）の出力とで主バーナ（８）を起動することを特徴とする火葬炉。
【請求項３】
前室（３）に続いて流体燃料による主バーナ（８）を有する主燃焼室（７）を備え、主燃焼室（７）から煙道（９）を介して流体燃料による副バーナ（１１）を有する再燃焼室（１０）を設け、前記前室（３）から主燃焼室（７）に亘る長さを持った自走式のキャリア台車（２８）に棺を載置する火葬台車（１２）をキャリア台車（２８）に設けた移送手段（２９）によって長手方向に摺動可能に載せて、そのキャリア台車（２８）を葬祭場の前ホール（１）から前室（３）内へと挿入する火葬炉において、前室（３）から主燃焼室（７）に亘りキャリア台車（２８）を載置する連続支持体（２７）を、火葬台車（１２）の荷重を検出する前ロードセル（１５）と主ロードセル（２５）とで担持すると共に、上記前ロードセル（１５）の検出信号に応じて副バーナ（１１）を先行して自動的に起動すると共に主バーナ（８）の燃料供給量と稼働時間を規制する火葬パターン制御手段（２２）と、該火葬パターン制御手段（２２）に前記主ロードセル（２５）の検出信号で火葬状況を修正する修正手段（２６）とを設け、
温度センサー（２１）とタイマー（２４）とによって、再燃焼室（１０）内が未燃焼ガスの燃焼に適するまで加熱された状況を検知する環境検出手段（２３）を設け、該環境検出手段（２３）の出力と火葬パターン制御手段（２２）の出力とで主バーナ（８）を起動することを特徴とする火葬炉。
【請求項４】
請求項１、２、又は３記載の火葬炉において、タイマー（２４）による設定時間経過後に、再燃焼室（１０）が未燃焼ガスの燃焼に適するまでに加熱されていない場合には温度センサー（２１）によって適するまでに加熱されることを検知してから環境検出手段（２３）が出力することを特徴とする火葬炉。
【発明の詳細な説明】
【０００１】
【発明の属する技術分野】
本発明は、ガスあるいは灯油などの流体燃料をバーナから点火して噴射し、火葬台車に載置した棺を火葬し、火葬経過に伴ってバーナを制御することができる形式の火葬炉に関する。
【０００２】
【従来の技術】
この種の火葬炉は実公平２−４９４６２号公報によって開示してあり、主燃焼室に火葬台車を受けるレールをロードセルで支持し、火葬の経過に応じて減少する荷重をロードセルで順次検出し、火葬中に適切な火葬状態が得られるように火葬台車を移動し、設定荷重を検出して主バーナを停止し、火葬を終了するように制御するものである。
【０００３】
【発明が解決しようとする課題】
上記公報の火葬炉は、火葬の経過を逐次荷重・電気信号変換によって検出し、その指令によって火葬台車を移動し、バーナを停止する処理のみを行うものであるが、その他に火葬体（遺体、副葬品及び棺）の重量に応じて、バーナの燃焼量を火葬時間の経過に従って大小に調節する必要があり、従来は作業員の勘によって調節されているものである。
【０００４】
本発明は上記のバーナの燃焼量を火葬時間の経過に従って大小に調節する手段を、火葬前に火葬体の重量を予知し、その重量に従って適切な火葬ができるように改善し、作業員の熟練を要せずして処理できる火葬炉を提供することにある。
【０００５】
【課題を解決するための手段】
上記目的を解決する手段は、前室に続いて流体燃料による主バーナを有する主燃焼室を備え、主燃焼室から煙道を介して流体燃料による副バーナを有する再燃焼室を設けている火葬台車式火葬炉において、前室に火葬台車の荷重を検知する前ロードセルで担持した前支持体を設け、上記前ロードセルの検出信号に応じて副バーナを先行して自動的に起動すると共に主バーナの燃料供給量及び稼働時間を規制する火葬パターン制御手段を備え、温度センサーとタイマーとによって、再燃焼室内が未燃焼ガスの燃焼に適するまで加熱された状況を検知する環境検出手段を設け、該環境検出手段の出力と火葬パターン制御手段の出力とで主バーナを起動するものである。
【０００６】
その他の解決手段として、前室に続いて流体燃料による主バーナを有する主燃焼室を備え、主燃焼室から煙道を介して流体燃料による副バーナを有する再燃焼室を設けている火葬台車式火葬炉において、前室に火葬台車の荷重を検知する前ロードセルで担持した支持体を設けると共に、主燃焼室に火葬経過に伴う火葬台車の荷重を検知する主ロードセルで担持した主支持体を設け、上記前ロードセルの検出信号に応じて副バーナを先行して自動的に起動すると共に主バーナの燃料供給量及び稼働時間を規制する火葬パターン制御手段と、該火葬パターン制御手段に前記主ロードセルの検出信号で火葬状況を修正する修正手段とを設け、温度センサーとタイマーとによって、再燃焼室内が未燃焼ガスの燃焼に適するまで加熱された状況を検知する環境検出手段を設け、該環境検出手段の出力と火葬パターン制御手段の出力とで主バーナを起動するものである。
【０００７】
更に他の解決手段として、前室に続いて流体燃料による主バーナを有する主燃焼室を備え、主燃焼室から煙道を介して流体燃料による副バーナを有する再燃焼室を設け、前室から主燃焼室に亘る長さを持った自走式のキャリア台車に棺を載置する火葬台車をキャリア台車に設けた移送手段によって長手方向に摺動可能に載せて、そのキャリア台車を葬祭場の前ホールから前室内へと挿入する火葬炉において、前室から主燃焼室に亘りキャリア台車を載置する連続支持体を、火葬台車の荷重を検出する前室ロードセルと主燃室ロードセルとで担持すると共に、上記前室ロードセルの検出信号に応じて副バーナを先行して自動的に起動すると共に主バーナの燃料供給量及び稼働時間を規制する火葬パターン制御手段と、該火葬パターン制御手段に前記主ロードセルの検出信号で火葬状況を修正する修正手段とを設け、温度センサーとタイマーとによって、再燃焼室内が未燃焼ガスの燃焼に適するまで加熱された状況を検知する環境検出手段を設け、該環境検出手段の出力と火葬パターン制御手段の出力とで主バーナを起動するものである。
【０００８】
更に上記各解決手段に加えて、タイマーによる設定時間経過後に、再燃焼室が未燃焼ガスの燃焼に適するまでに加熱されていない場合には温度センサーによって適するまでに加熱されることを検知してから環境検出手段が出力することが望ましい。
【０００９】
【作用】
上記のように前室に設けた前ロードセルと、該前ロードセルの検出信号に応じて主バーナの燃料供給量及び稼働時間を規制する火葬パターン制御手段とを設けた火葬炉であれば、棺を載せた火葬台車を前室内に挿入した時点で、火葬体の荷重を検知することができ、火葬台車を主燃焼室に挿入した後に、火葬パターン制御手段を前記検出信号に応じて駆動することにより、各火葬体に従って適切な火葬処理を行うことができようになる。
【００１０】
上記の前室ロードセルと火葬パターン制御手段に加えて、環境検出手段を設けていることから、再燃焼室の受入れ体制が整った信号を受けて、そこで火葬を開始することができるので、特に火葬の始動時には多くの未燃焼ガスが発生するが、この未燃焼ガスを確実に再燃して放出することができるようになる。
【００１１】
また前ロードセルと火葬パターン制御手段に加えて、主ロードセルを設けた火葬炉であれば、火葬体の荷重に対する火葬の制御のみならず、同じ条件の火葬体であってもその性質によって火葬状況が異なるから、主ロードセルによって、先に与えられた火葬パターンを修正して火葬処理できるようになるものである。
【００１２】
【発明の実施の形態】
本発明による実施形態は、前室と主燃焼室と再燃焼室を備え、主燃焼室と再燃焼室の各室に流体燃料によるバーナを有する火葬台車式火葬炉のうち、前室に火葬台車を載置する前支持体を前ロードセルで担持して設け、該ロードセルの出力信号に従って予め定められた複種の火葬パターンから適応するパターンを選び、その火葬パターンによって主燃焼室の主バーナを作動して火葬できる火葬パターン制御手段を備えるものである。尚、火葬パターン制御手段は、前ロードセルの指示によって手動で起動する場合、あるいは自動的に起動する場合がある。
【００１３】
また、上記の主バーナを起動するに先だって再燃焼室の副バーナを点火して、再燃焼室内を火葬当初に発生する未燃焼ガスを確実に燃焼するのに適した温度にまで加熱するのが従来も行われているが、本発明では、前記前ロードセルの指示によって副バーナを起動し、適温にまで加熱された状態を環境検出手段によって検知した後に主バーナを起動指令するものである。尚、主バーナの起動指令は、環境検出手段による標示を見て手動により指令する場合、あるいは環境検出手段から直接指令して自動化する場合がある。
【００１４】
他の実施形態として、前記と同様に前室と主燃焼室と再燃焼室を備え、主燃焼室と再燃焼室の各室に流体燃料によるバーナを設けている他に、主燃焼室に設けた火葬台車を載持する主支持体を主ロードセルによって担持し、前ロードセルの指令によって選ばれた火葬パターンで火葬するが、その火葬中、主ロードセルによる荷重変化を検知して、火葬パターンを修正して火葬を遂行するように構成するものである。
【００１５】
更に他の実施形態として、前記と同様に前室と主燃焼室と再燃焼室を備え、主燃焼室と再燃焼室の各室に流体燃料によるバーナを設けている他に、前室から主燃焼室に亘る長さを持つキャリア台車を挿入及び引き出し可能に設け、そのキャリア台車上に火葬台車を送行可能に載置される火葬台車式火葬炉において、キャリア台車を前室から主燃焼室に亘って送行できる連続支持体を、前記実施形態と同様に前ロードセルに加えて、主燃焼室側に設けた主ロードセルによっても担持するものである。
【００１６】
【実施例】
次に具体的に図面によって説明すると、図１において１は葬祭場の前ホール、２は化粧扉、３は前室、４は前室３の前後に設けられ上下方向に開閉する各遮蔽扉、５は冷却手段、６は上下方向に開閉する防火扉、７は主燃焼室、８は主バーナ、９は煙道、１０は再燃焼室、１１は副バーナを示している。
【００１７】
上記火葬炉は火葬台車１２を前ホール１から前室３に挿入し、更に主燃焼室７内へ挿入して火葬するもので、その前室３の床に火葬台車１２を受ける左右のレールによる前支持体１３を設け、主燃焼室７の床に前支持体１３に連続するが別体の同じく左右のレールによる主支持体１４を敷設しているが、そのうち前支持体１３をその左右前後に設けた各前ロードセル１５で担持している。
【００１８】
上記前ロードセル１５の計測標示部１６には、前支持体１３及び火葬台車１２の風袋重量を除いた遺体と副葬品及び棺を含む重量値のみを標示しても良いが、演算して例えば「標準」、「標準以上」、「標準以下」の３段階のパターンに分けて標示し、その標示に従って火葬処理できるように、３段階に対応した指令ボタンあるいは指令ダイヤルなどによる手動指令部１７を前記計測標示部１６に並べて設けるものである。尚、必ずしも３段階に限るものではなく、４段階あるいは５段階などの複数段のパターンに分けても良い。
【００１９】
また上記の３段階のパターンは、例えば一般的に棺は約２０ｋｇ程度のものであって、遺体と副葬品を含めた重量が標準的には約７０ｋｇあるから合わせて９０ｋｇとなる。この数値に幅を持たせて例えば８０ｋｇから１００ｋｇの範囲内を比較演算して「標準」と標示し、その数値以下を「標準以下」、また以上であれば「標準以上」と標示するものである。また上記の標示文字に限ることがなく「大」、「中」、「小」あるいは数字で「１」、「２」、「３」と標示しても良い。
【００２０】
更に上記３段階による火葬パターンは、主バーナ８の時間に対する燃焼量を制御するもので、その制御グラフを図２の（イ）（ロ）（ハ）に示しており、横軸は分単位の経過時間を示し、縦軸は主バーナ８の燃焼量（リットル）であって、（イ）図のグラフは標準以下（大）のパターンであり、（ロ）図は標準（中）、（ハ）図は標準以上（小）の場合を示している。尚、主バーナ８の制御は図１に示しているように、コントロールモータ１８により主バーナ８への流体燃料（ガスまたは灯油）の流量調節弁１９と、主バーナ８への空気の供給量を制御するダンパー２０とを比例的に調整するようになっている。
【００２１】
前述のように計測標示部１６を見てその指示に従って手動指令部１７を操作するいわゆる手動型の場合、何れか一つの手動指令部１７を操作することによって直接主バーナ８を起動するように構成するが、その前に副バーナ１１を先に起動する必要がある。従って図３に示しているように、計測標示部１６の標示を確認してから、手動で副バーナ１１を起動し、再燃焼室１０に設けている温度センサー２１の標示を確認した後に、手動指令部１７の何れかのボタンを計測標示部１６の標示に従って押すことにより、主バーナ７が火葬パターンに従って起動するものである。
【００２２】
前述の前ロードセル１５の検出信号で火葬パターンを選択し、その信号によって火葬始動する自動化の場合には、図４に示しているように、前ロードセル１５の検出信号によってコンピューターによる演算処理を行って火葬パターンを選定して主バーナ８を起動する指令と、副バーナ１１を起動する指令とを出力する火葬パターン制御手段２２を設け、先行して副バーナ１１を起動し、再燃焼室１０の環境検出手段２３の出力によって前記火葬パターン制御手段２２より選定された火葬パターンによる出力信号で主バーナ８を起動するものである。
【００２３】
上記環境検出手段２３は、再燃焼室１０に前述の温度センサー２１に加えてタイマー２４を設け、両者の何れかの出力信号によって火葬パターン制御手段２２を介して主バーナ８を起動するもので、再燃焼室１０の適温は、通常はタイマー２４による所定時間経過により再燃焼室１０が未燃焼ガスを再燃するのに適した３００℃乃至５００℃にまで加熱されるが、設定時間が過ぎても適温にまで加熱されない万一の場合に、温度センサー２１によって指令するものである。
【００２４】
ところで、前記３段階の火葬パターンによって殆どの場合良好に火葬を終了することができるが、たまたま棺の風袋が異常に重い場合、あるいは副葬品が多く「標準以上」の指示が示されることもあり、内容物を確認することができないことから、過剰に火葬処理されてしまうこともある。これを解決するため、主燃焼室７での火葬状況を荷重の減少推移によって検出し、選定された火葬パターンを修正して火葬を行うことが最も好ましいものである。尚、火葬状況を荷重の減少推移によって検出する点については、実公平２−４９４６２号公報に記載しているが、その技術を巧みに利用して火葬処理を修正するものである。
【００２５】
以上の火葬修正処理を行う手段を備える第２の実施例は、図５にその要部を示しているように、主燃焼室７に火葬台車１２を受ける左右レールによる主支持体１４を、前記前支持体１３に連続的に設けるが、該主支持体１４を主ロードセル２５で担持し、前記火葬パターン制御手段２２に、主ロードセル２５の出力信号と指定された火葬パターンとを比較して主バーナ８の燃焼量を制御する修正手段２６を設けたものである。
【００２６】
次ぎに第３の実施例は図７に示しているように、前室３から主燃焼室７に左右一対のレールからなる一連の連続支持体２７を設け、該連続支持体２７上に前室３から主燃焼室７一杯の長さを持ち、且つ火葬台車１２を載置するキャリア台車２８を前ホール１から自走して挿入でき、また火葬終了後にはキャリア台車２８を火葬台車１２を載せたままで前ホール１へ自走して引き出されるもので、しかもキャリア台車２８には火葬台車１２を前後方向に送行する移送手段２９を設けている形式の火葬炉に対して、前記連続支持体２７を前ロードセル１５と主ロードセル２５で担持したもので、前述の図６に示す修正手段２６を有する制御と同様に火葬処理するものである。
【００２７】
【発明の効果】
本発明による火葬炉は、前室の火葬台車を受ける前支持体を前ロードセルで担持し、該ロードセルで計量された荷重の大小に応じて火葬パターンを決め、そのパターンによって火葬を行うものであるから、従来の熟練した技術を要せずして良好に火葬処理されるようになるものである。
【００２８】
更に、前室の前ロードセルに加えて、主燃焼室にも主ロードセルを設けた火葬炉であれば、火葬パターンに従って火葬処理中に、主ロードセルの荷重検出により火葬パターンを修正して火葬することができるようになり、例えば前ロードセルで大の棺と検出しても、棺自体の風袋のみが重く、あるいは副葬品が異常に重く、遺体の重量が「中」の場合などには、大の火葬パターンで始動されても、途中で修正されるので、この場合も過剰に火葬されることがなく良好に処理されるようになる。
【００２９】
また、前室の前ロードセルの検出信号によって火葬パターンを選択すると同時に副バーナを自動的に先行して起動し、再燃焼室に設けた環境検出手段によって、再燃焼室内が適温に加熱された状態を検出し、その検出信号によって主バーナを選ばれた火葬パターンで起動して火葬を開始することから、再燃焼室の受入れ態勢が確実に整ってから火葬されるため、火葬の当初には夥しい煙が発生するが、これを確実に浄化して排出されるようになる。
【図面の簡単な説明】
【図１】本発明による火葬炉を示す断面図である。
【図２】の（イ）（ロ）（ハ）棺重量の大中小に応じた火葬パターンを示すグラフ線図である。
【図３】火葬の処理順序を示す説明図である。
【図４】火葬の他の処理順序を示す説明図である。
【図５】本発明による火葬炉の類例を示す断面図である。
【図６】図５に示す火葬炉の火葬処理順序を示す説明図である。
【図７】本発明による火葬炉の更に他の類例を示す断面図である。
【符号の説明】
１  前ホール
３  前室
７  主燃焼室
８  主バーナ
９  煙道
１０  再燃焼室
１１  副バーナ
１２  火葬台車
１３  前支持体
１４  主支持体
１５  前ロードセル
２１  温度センサー
２２  火葬パターン制御手段
２３  環境検出手段
２４  タイマー
２５  主ロードセル
２６  修正手段
２７  連続支持体
２８  キャリア台車
【図１】
0003878247.tif 000002
【図２】
0003878247.tif 000003
【図３】
0003878247.tif 000004
【図４】
0003878247.tif 000005
【図５】
0003878247.tif 000006
【図６】
0003878247.tif 000007
【図７】
0003878247.tif 000008